(57)【要約】      （修正有）【課題】介護者及び要介護者ともにズボンを楽に上げ下げでき、上げ下げに使用する取っ手がズボンをはいたとき目障りになることを防止でき、また取っ手が車椅子などの突出箇所に引っ掛かることなく、安全に安心して使用できる要介護者用ズボンを提供する。【解決手段】腰周り１が周方向に伸縮するズボンである。腰周りに、腰周りの伸縮性に合わせて周方向に伸縮する取っ手２を、周方向に延ばしてループ状に複数設ける。取っ手とズボン本体５は、同じストレッチ生地で形成するのが良い。また、腰周りの外周面全体にストレッチ生地製の長尺状部材を廻らし、長尺状部材を一定の間隔をあけて縫い付け、隣り合う縫い付け箇所の間をループ状の取っ手に形成するのでも良い。【選択図】図１
0003221297.tif 000002
【実用新案登録請求の範囲】
【請求項１】
腰周りが周方向に伸縮可能に形成されているズボンであって、上記の腰周りに、腰周りの伸縮性に合わせて周方向に伸縮する取っ手が、周方向に延ばされてループ状に複数設けられていることを特徴とする要介護者用ズボン。
【請求項２】
請求項１記載の要介護者用ズボンであって、取っ手とズボン本体が同じストレッチ生地で形成されていることを特徴とする要介護者用ズボン。
【請求項３】
請求項１又は２記載の要介護者用ズボンであって、腰周りの外周面の全体にストレッチ生地製の長尺状部材が廻らされ、この長尺状部材が一定の間隔をあけて縫い付けられ、隣り合う縫い付け箇所の間がループ状の取っ手に形成されていることを特徴とする要介護者用ズボン。
【考案の詳細な説明】
【技術分野】
【０００１】
本考案は、介護を必要とする者（要介護者）が使用するズボンに関し、更に詳しくは介護者及び要介護者自身にとってもズボンの上げ下げを簡単且つ楽にできるよう形成した要介護者用ズボンに関するものである。
【背景技術】
【０００２】
従来、この種のズボンとしては、例えば特許文献１に記載されているものがある。この従来品は、股上部分の後側の臀部を覆う箇所の外面に、取っ手を左右一対状に設けているものである。
【０００３】
ところで、例えば脳梗塞等で半身が麻痺したり、筋力低下などで、手指や腕を自由に動かすことができない者であっても、寝起きする際や、排泄時は、自分でズボンの上げ下げを行いたい、という人が多い。
【０００４】
また介護者は、例えば排泄の介助のとき、要介護者の体を片手で支えながら、ズボンを上げ下げし、手早く下着やおむつ等の始末を行う必要があるが、この種の作業は、要介護者だけではなく、介護者にとっても肉体的な負担が大きいものである。
【０００５】
また、要介護者が、例えば太っていたり、着ぶくれでズボンが身体にピタッとフィットしている場合は、ズボンの上げ下げに苦労することが多いのが通例である。
【０００６】
従って、要介護者用ズボンは、要介護者自身が楽に上げ下げでき、排泄の介助等の際も、介護者がズボンを簡単に上げ下げでき  また例えば要介護者が太っていてズボンが身体にフィットしている場合でも、上げ下げを楽にできるよう形成されているのが望ましい。
【０００７】
しかるに、上記の従来品は、取っ手が股上部分の後側の外面に設けられていた。
そのため、従来品を使用すると、要介護者が自分でズボンを上げ下げすることが難しく、また介護者は、無理な姿勢を強いられ易かっただけではなく、ズボンがきついときは、ズボンの上げ下げを楽にできない、という問題点があった。
【０００８】
また従来品は、取っ手が、股上部分の所定位置に、常時、ループ状に張り出されていた。
【０００９】
従って、従来品は、ズボンをはいたとき、取っ手がループ状に形作られたから、取っ手が目障りになり、体裁が悪い、という問題点があった。
【００１０】
またこのように従来品は、取っ手が、常にループ状に張り出されていたから、例えば車椅子やベッドなどの出っ張り部分に引っ掛かり易かった。
そのため、従来品を使用すると、車椅子などの乗り降りに支障を生じることがあり、安全、安心して使用できない、という大きな問題点があった。
【先行技術文献】
【特許文献】
【００１１】
【特許文献１】特開２００７−２９７７４１号公報
【考案の概要】
【考案が解決しようとする課題】
【００１２】
本考案は、このような従来の問題点に鑑み、提案されたものである。
従って、本考案の解決しようとする技術的課題は、介護者及び要介護者ともにズボンを楽に上げ下げでき、上げ下げに使用する取っ手がズボンをはいたとき目障りになることを防止でき、また取っ手が車椅子などの突き出し箇所に引っ掛かることなく、安全、安心して使用できるよう形成した要介護者用ズボンを提供することにある。
【課題を解決するための手段】
【００１３】
本考案は、上記の課題を解決するため、次のような技術的手段を採る。
即ち、本考案のズボンは、図１等に示されるように、腰周り１が周方向に伸縮可能に形成されているズボンであって、上記の腰周り１に、腰周り１の伸縮性に合わせて周方向に伸縮する取っ手２が、周方向に延ばされてループ状に複数設けられていることを特徴とする（請求項１）。
【００１４】
ここで、腰周り１の伸縮性に合わせて、とは、要介護者３がズボンをはいて腰周り１が拡がると、取っ手２が腰周り１の外面に当接するよう形成されている、ということを意味する。取っ手２は、腰周り１の前後左右に等間隔をあけて、計４個設けられているのが好ましいが、個数や形成位置、また長さは任意である。
【００１５】
また本考案は、取っ手２とズボン本体５が同じストレッチ生地で形成されているのが好ましい（請求項２）。
【００１６】
なぜならこれによると、取っ手２が目立つことを防止でき、体裁が良くなるだけではなく、共通の生地を使用することで効率良く製造でき、コストを低廉化できるからである。
【００１７】
而して、本考案のズボンは、図７、図８に示されるように、腰周り１の外周面の全体にストレッチ生地製の長尺状部材６が廻らされ、この長尺状部材６が一定の間隔をあけて縫い付けられ、隣り合う縫い付け箇所７の間がループ状の取っ手２に形成されているのが好ましい（請求項３）。
【００１８】
なぜなら、これによると、取っ手２を個別に独立した状態で設ける場合に比べ、取っ手２の位置決め等にかかる手間暇を軽減でき、その分、取っ手２の取り付け作業を、簡単、迅速にできるからである。
【考案の効果】
【００１９】
本考案の要介護者用ズボンは、このように腰周りが周方向に伸縮可能に形成されているズボンであって、上記の腰周りに、腰周りの伸縮性に合わせて周方向に伸縮する取っ手が、周方向に延ばされてループ状に複数設けられている。
【００２０】
従って、本考案によれば、取っ手を利用して要介護者だけではなく、介護者自らもズボンの上げ下げを楽に且つ容易にできる。
【００２１】
また本考案は、取っ手が腰周りの伸縮に合わせて伸縮し、要介護者がズボンをはいて腰周りが拡がると、取っ手が腰周りの外周面に沿って重合状に当接する。
【００２２】
従って、本考案は、ズボンをはくと取っ手のループが消失するから、これによれば、取っ手が目障りになることを防止でき、体裁の良いズボンを提供できる。
【００２３】
またこのように本考案は、着用時に取っ手のループが消えるため、取っ手が歩行器や車椅子などの突き出し箇所に引っ掛かることを防止できる。
従って、これによれば、安全、安心して使用できる、という実用上優れた効果を奏する。
【図面の簡単な説明】
【００２４】
【図１】本考案のズボンの要部斜視図である。
【図２】同上ズボンの使用状態を示す要部正面図である。
【図３】同上ズボンの平面図である。
【図４】同上ズボンの要部断面図である。
【図５】Ａは同上ズボンの作用を説明するための要部平面図、ＢはＡのＢ−Ｂ線拡大断面図である。
【図６】同上ズボンの作用を説明するための要部平面図である。
【図７】同上ズボンの他の実施形態を示す要部正面図である。
【図８】図７の本考案ズボンの平面図である。
【考案を実施するための形態】
【００２５】
以下、本考案の好適な一実施形態を、添付図面に従って説明する。
本考案のズボンは、腰周り１がゴム紐等の手段で周方向に伸縮可能に形成されている。
【００２６】
また本考案のズボンは、腰周り１に、腰周り１の伸縮性に合わせて周方向に伸縮する取っ手２が、周方向に延ばされてループ状に複数設けられている。本考案は、このように取っ手２が腰周り１の伸縮性に合わせて形成されているから、要介護者３（図２参照）がズボンをはいて腰周り１が拡がると、取っ手２が腰周り１の外面に重合状に当接する。従って、これによれば、取っ手２が目障りになることなく、体裁良くズボンをはくことができる。
【００２７】
上記の取っ手２は、この実施形態では腰周り１の前後左右に等間隔をあけて且つ同じ長さで、合計４個設けられている。なお、４（図３参照）は、足の出口孔である。
【００２８】
また取っ手２とズボン本体５は、ズボンのデザイン性やファッション性を損なうことがないよう、この実施形態では同じストレッチ生地で形成されている。また取っ手２は、握り易く且つ手が痛くならないよう、この実施形態では芯材２ａ（図４参照）を備えて帯紐状に形成されている。
【００２９】
次に、この実施形態に係る本考案品の使用例を、図２等に従って説明する。
【００３０】
先ず、要介護者３は、取っ手２を把持し、取っ手２を利用してズボンを引き上げてはく。この場合、取っ手２は、帯紐状に形成されているから、把持し易く、手指を痛めることがない。
【００３１】
而して、ズボンをはくと、取っ手２は、図５、図６に示されるように、腰周り１にピタッと重合して当接する。従って、本考案によれば、ループが消えるため、取っ手２が目障りになることを防止でき、腰周り1がすっきりとした状態でズボンをはくことができる。
【００３２】
またズボンを脱ぐときは、取っ手２を利用して要介護者３は自分で引き下ろす。また介護者が介助する場合は、例えば片手で要介護者３の身体を支え、他方の手でズボンを引き下ろす。この場合、本考案品は、腰周り１に取っ手２が設けられているため、引き下ろし易く、ズボンを楽に脱がすことができる。
【００３３】
また本考案は、要介護者３が畳みなどに座った姿勢から立つときや、車椅子等から畳みなどに座り直すときは、介護者が要介護者３の前側や後側に回り、取っ手２を持って介助する。
【００３４】
以上の処において、上記の取っ手２は、帯紐状でも、丸紐状でも良い。本考案の場合、取っ手２は、要は、ズボンをはいたとき、腰周り１の伸縮に合わせて腰周り１の外面に重合状に当接するよう形成されているのであれば良い。
【００３５】
また本考案のズボンは、図７、図８に示されるように、腰周り１の外周面の全体にストレッチ生地製の長尺状部材６が廻らされ、この長尺状部材６が一定の間隔をあけて縫い付けられ、隣り合う縫い付け箇所７の間がループ状の取っ手２に形成されているのでも良い。
【００３６】
この場合、長尺状部材６は、目立たないよう、ズボン本体５と同じストレッチ生地で形成されているのでも、或いは長尺状部材６が腰周り１のアクセントになるよう、ズボン本体５とは異なるストレッチ生地等で形成されているのでも良い。
【符号の説明】
【００３７】
１      腰周り
２      取っ手
２ａ    芯材
３      要介護者
４      足の出口孔
５      ズボン本体
６      長尺状部材
７      縫い付け箇所
【図１】
0003221297.tif 000003
【図２】
0003221297.tif 000004
【図３】
0003221297.tif 000005
【図４】
0003221297.tif 000006
【図５】
0003221297.tif 000007
【図６】
0003221297.tif 000008
【図７】
0003221297.tif 000009
【図８】
0003221297.tif 000010